(57)【要約】  電球形状殻、該電球形状殻内の熱伝導性プラスチック材料、及び前記電球形状殻内の少なくとも１つのＬＥＤを有するＬＥＤ電球に関する。また、該電球は基部を含み、該基部は、標準的電気ソケット内に受容される大きさとなっている。
2009535783.tif 000002
【特許請求の範囲】
【請求項１】
電球形状の殻、
前記電球形状の殻内の熱伝導性プラスチック材料、
前記電球形状の殻内の少なくとも１つのＬＥＤ、及び
ねじ込み基部であって、一連のねじ山と基部ピンとから成り前記ねじ山と基部ピンが標準的電気ソケット内に受容される大きさである基部
から成る、ＬＥＤ電球。
【請求項２】
前記殻がプラスチックである、請求項１記載のＬＥＤ電球。
【請求項３】
前記少なくとも１つのＬＥＤの少なくとも一部が前記プラスチック材料内に搭載されている、請求項１記載のＬＥＤ電球。
【請求項４】
前記少なくとも１つのＬＥＤが薄い殻壁を通して前記プラスチック材料に熱的に結合している、請求項１記載のＬＥＤ電球。
【請求項５】
前記プラスチック材料が前記少なくとも１つのＬＥＤを損傷する温度未満の温度で硬化する、請求項１記載のＬＥＤ電球。
【請求項６】
更に電源から成り、前記少なくとも１つのＬＥＤに対する前記電源が前記電球の前記基部内にある、請求項１記載のＬＥＤ電球。
【請求項７】
前記少なくとも１つのＬＥＤ用の前記電源が既存電源に合致し、既存設備に電球を使用できる、請求項６記載のＬＥＤ電球。
【請求項８】
前記プラスチック材料が光学的に透明である、請求項１記載のＬＥＤ電球。
【請求項９】
前記プラスチック材料が電気的に絶縁性である、請求項１記載のＬＥＤ電球。
【請求項１０】
更に前記殻内の分散材料から成り、前記分散材料が前記少なくとも１つのＬＥＤからの光を分散する、請求項１記載のＬＥＤ電球。
【請求項１１】
更に前記プラスチック材料内の分散材料から成り、前記分散材料が前記少なくとも１つのＬＥＤからの光を分散する、請求項１記載のＬＥＤ電球。
【請求項１２】
更に前記殻内の色変更材料から成り、前記色変更材料が前記ＬＥＤからの光を第１の色スペクトルから第２の色スペクトルに変更する、請求項１記載のＬＥＤ電球。
【請求項１３】
更に前記プラスチック材料内の色変更材料から成り、前記色変更材料が前記ＬＥＤからの光を第１の色スペクトルから第２の色スペクトルに変更する、請求項１記載のＬＥＤ電球。
【請求項１４】
前記殻の材料が光学的に透明である、請求項１記載のＬＥＤ電球。
【請求項１５】
更に前記プラスチック材料内の複数の泡から成り、前記泡が前記少なくとも１つのＬＥＤからの光を分散する、請求項１記載のＬＥＤ電球。
【請求項１６】
更に前記電球形状殻内の複数の泡から成り、前記泡が前記少なくとも１つのＬＥＤからの光を分散する、請求項１記載のＬＥＤ電球。
【請求項１７】
更に前記プラスチック材料に染料を追加することから成り、前記染料が前記少なくとも１つのＬＥＤの光を第１の色スペクトルから第２の色スペクトルに変更する、請求項１記載のＬＥＤ電球。
【請求項１８】
更に前記殻に染料を追加することから成り、前記染料が前記少なくとも１つのＬＥＤの光を第１の色スペクトルから第２の色スペクトルに変更する、請求項１記載のＬＥＤ電球。
【請求項１９】
前記プラスチック殻がポリカーボネートである、請求項１記載のＬＥＤ電球。
【請求項２０】
前記プラスチック材料が液体プラスチックである、請求項１記載のＬＥＤ電球。
【請求項２１】
前記プラスチック材料がゲルである、請求項１記載のＬＥＤ電球。
【請求項２２】
プラスチックの電球形状殻を生成すること、
前記殻にプラスチック材料を注入することであって、前記プラスチック材料は熱伝導性であること、
前記プラスチック材料内に前記プラスチック材料の硬化前に少なくとも１つのＬＥＤを設置すること、及び
前記プラスチック材料を硬化すること
から成る、ＬＥＤ電球の製造方法。
【請求項２３】
更に前記殻にねじ込み基部を取り付けることから成り、前記基部は一連のねじ山と基部ピンから成り、前記ねじ山と基部ピンは標準的な電気ソケットで受容される大きさである、請求項２２記載の方法。
【請求項２４】
前記プラスチック材料が前記少なくとも１つのＬＥＤを損傷する温度未満の温度で硬化する、請求項２２記載の方法。
【請求項２５】
更に前記電球基部内に電源を取り付けることから成る、請求項２２記載の方法。
【請求項２６】
前記ＬＥＤ用の前記電源が既存電源に合致し、既存設備に電球を使用できる、請求項２５記載の方法。
【請求項２７】
前記プラスチック材料が光学的に透明である、請求項２２記載の方法。
【請求項２８】
前記プラスチック材料が電気的に絶縁性である、請求項２２記載の方法。
【請求項２９】
更に前記プラスチック材料中の光を分散する手段と色変更する手段の双方又は一方から成る、請求項２２記載の方法。
【請求項３０】
前記殻の材料が光学的に透明である、請求項２２記載の方法。
【請求項３１】
更に前記殻中の光を分散する手段と色変更する手段の双方又は一方から成る、請求項２２記載の方法。
【請求項３２】
プラスチックの電球形状殻を生成すること、
前記プラスチックの電球形状殻内に少なくとも１つのＬＥＤを設置すること、
前記殻にプラスチック材料を注入することであって、前記プラスチック材料は熱伝導性であること、及び
前記プラスチック材料を硬化すること
から成る、ＬＥＤ電球の製造方法。
【請求項３３】
更に前記殻にねじ込み基部を取り付けることから成り、前記基部は一連のねじ山と基部ピンから成り、前記ねじ山と基部ピンは標準的な電気ソケットで受容される大きさである、請求項３２記載の方法。
【請求項３４】
前記プラスチック材料が前記少なくとも１つのＬＥＤを損傷する温度未満の温度で硬化する、請求項３２記載の方法。
【請求項３５】
更に前記電球基部内に電源を取り付けることから成る、請求項３２記載の方法。
【請求項３６】
前記ＬＥＤ用の前記電源が既存電源に合致し、既存設備に電球を使用できる、請求項３５記載の方法。
【請求項３７】
前記プラスチック材料が光学的に透明である、請求項３２記載の方法。
【請求項３８】
前記プラスチック材料が電気的に絶縁性である、請求項３２記載の方法。
【請求項３９】
更に前記プラスチック材料中の光を分散する手段と色変更する手段の双方又は一方から成る、請求項３２記載の方法。
【請求項４０】
前記殻の材料が光学的に透明である、請求項３２記載の方法。
【請求項４１】
更に前記殻中の光を分散する手段と色変更する手段の双方又は一方から成る、請求項３２記載の方法。
【請求項４２】
プラスチックの白熱電球形状殻を生成すること、
前記殻にプラスチック材料を注入することであって、前記プラスチック材料は熱伝導性であり、前記プラスチック材料はＬＥＤを損傷する温度未満の温度で硬化すること、
前記プラスチック材料内に硬化前に少なくとも１つのＬＥＤを設置すること、及び
注入と設置が完了した後に前記プラスチック材料を硬化すること
から成る、ＬＥＤ白熱電球交換品の製造方法。
【請求項４３】
プラスチックの白熱電球形状殻を生成すること、
前記白熱電球形状殻内に少なくとも１つのＬＥＤを設置すること、
前記殻にプラスチック材料を注入することであって、前記プラスチック材料は熱伝導性であり、前記プラスチック材料はＬＥＤを損傷する温度未満の温度で硬化すること、及び
注入と設置が完了した後に前記プラスチック材料を硬化すること
から成る、ＬＥＤ白熱電球交換品の製造方法。
【請求項４４】
熱伝導性プラスチック電球、
前記熱伝導性プラスチック電球内の少なくとも１つのＬＥＤ、及び
ねじ込み基部であって、一連のねじ山と基部ピンとから成り前記ねじ山と基部ピンが標準的電気ソケット内に受容される大きさである基部
から成る、ＬＥＤ電球。
【請求項４５】
更に電源から成り、前記少なくとも１つのＬＥＤに対する前記電源が前記電球の前記基部内にある、請求項４４記載のＬＥＤ電球。
【請求項４６】
前記少なくとも１つのＬＥＤ用の前記電源が既存電源に合致し、既存設備に電球を使用できる、請求項４５記載のＬＥＤ電球。
【請求項４７】
前記熱伝導性プラスチック電球が光学的に透明である、請求項４４記載のＬＥＤ電球。
【請求項４８】
前記熱伝導性プラスチック電球が電気的に絶縁性である、請求項４４記載のＬＥＤ電球。
【請求項４９】
更に前記熱伝導性プラスチック電球内の分散材料から成り、前記分散材料が前記少なくとも１つのＬＥＤからの光を分散する、請求項４４記載のＬＥＤ電球。
【請求項５０】
更に前記熱伝導性プラスチック電球内の色変更材料から成り、前記色変更材料が前記ＬＥＤからの光を第１の色スペクトルから第２の色スペクトルに変更する、請求項４４記載のＬＥＤ電球。
【請求項５１】
前記熱伝導性プラスチック電球が光学的に透明である、請求項４４記載のＬＥＤ電球。
【請求項５２】
更に前記熱伝導性プラスチック電球内の複数の泡から成り、前記泡が前記少なくとも１つのＬＥＤからの光を分散する、請求項４４記載のＬＥＤ電球。
【請求項５３】
更に前記熱伝導性プラスチック電球に染料を追加することから成り、前記染料が前記少なくとも１つのＬＥＤの光を第１の色スペクトルから第２の色スペクトルに変更する、請求項４４記載のＬＥＤ電球。
【請求項５４】
前記熱伝導性プラスチック電球がポリカーボネートである、請求項４４記載のＬＥＤ電球。
【請求項５５】
電球形状型内に少なくとも１つのＬＥＤを設置すること、
前記型に熱伝導性プラスチック材料を注入すること、及び
前記プラスチック材料を硬化することであって、前記プラスチック材料が前記少なくとも１つのＬＥＤを損傷する温度未満の温度で硬化すること
から成る、ＬＥＤ白熱電球交換品の製造方法。
【請求項５６】
更に前記電球にねじ込み基部を取り付けることから成り、前記基部は一連のねじ山と基部ピンから成り、前記ねじ山と基部ピンは標準的な電気ソケットで受容される大きさである、請求項５５記載の方法。
【請求項５７】
更に電球外部に殻を生成するような態様で更なる処理を行う段階から成る、請求項５５記載の方法。
【請求項５８】
更に電球に殻を付加する段階から成る、請求項５５記載の方法。
【請求項５９】
電球形状の殻、
前記殻内の熱伝導性プラスチック材料、
前記殻内の少なくとも１つのＬＥＤ、及び
ソケット内に適合するよう構成された基部
から成る、ＬＥＤ電球。
【請求項６０】
前記基部が一連のねじ山と基部ピンとから成り、前記ねじ山と基部ピンが標準的電気ソケット内に受容される大きさである、請求項５９記載のＬＥＤ電球。
【請求項６１】
前記殻がプラスチックである、請求項５９記載のＬＥＤ電球。
【請求項６２】
前記少なくとも１つのＬＥＤの少なくとも一部が前記熱伝導性材料内に搭載されている、請求項５９記載のＬＥＤ電球。
【請求項６３】
前記少なくとも１つのＬＥＤが薄い殻壁を通して前記熱伝導性材料に熱的に結合している、請求項５９記載のＬＥＤ電球。
【請求項６４】
前記プラスチック材料が前記少なくとも１つのＬＥＤを損傷する温度未満の温度で硬化する、請求項５９記載のＬＥＤ電球。
【請求項６５】
更に電源から成り、前記少なくとも１つのＬＥＤに対する前記電源が前記電球内にある、請求項５９記載のＬＥＤ電球。
【請求項６６】
前記少なくとも１つのＬＥＤ用の前記電源が既存電源に合致し、既存設備に電球を使用できる、請求項６５記載のＬＥＤ電球。
【請求項６７】
前記熱伝導性材料が光学的に透明である、請求項５９記載のＬＥＤ電球。
【請求項６８】
前記熱伝導性材料が電気的に絶縁性である、請求項５９記載のＬＥＤ電球。
【請求項６９】
更に前記殻内の分散材料から成り、前記分散材料が前記少なくとも１つのＬＥＤからの光を分散する、請求項５９記載のＬＥＤ電球。
【請求項７０】
更に前記熱伝導性材料内の分散材料から成り、前記分散材料が前記少なくとも１つのＬＥＤからの光を分散する、請求項５９記載のＬＥＤ電球。
【請求項７１】
更に前記殻内の色変更材料から成り、前記色変更材料が前記ＬＥＤからの光を第１の色スペクトルから第２の色スペクトルに変更する、請求項５９記載のＬＥＤ電球。
【請求項７２】
更に前記熱伝導性材料内の色変更材料から成り、前記色変更材料が前記ＬＥＤからの光を第１の色スペクトルから第２の色スペクトルに変更する、請求項５９記載のＬＥＤ電球。
【請求項７３】
前記殻の材料が光学的に透明である、請求項５９記載のＬＥＤ電球。
【請求項７４】
更に前記熱伝導性材料内の複数の泡から成り、前記泡が前記少なくとも１つのＬＥＤからの光を分散する、請求項５９記載のＬＥＤ電球。
【請求項７５】
更に前記電球形状殻内の複数の泡から成り、前記泡が前記少なくとも１つのＬＥＤからの光を分散する、請求項５９記載のＬＥＤ電球。
【請求項７６】
更に前記熱伝導性材料に染料を追加することから成り、前記染料が前記少なくとも１つのＬＥＤの光を第１の色スペクトルから第２の色スペクトルに変更する、請求項５９記載のＬＥＤ電球。
【請求項７７】
更に前記殻に染料を追加することから成り、前記染料が前記少なくとも１つのＬＥＤの光を第１の色スペクトルから第２の色スペクトルに変更する、請求項５９記載のＬＥＤ電球。
【請求項７８】
前記殻がポリカーボネートである、請求項５９記載のＬＥＤ電球。
【請求項７９】
前記熱伝導性材料が液体プラスチックである、請求項５９記載のＬＥＤ電球。
【請求項８０】
前記熱伝導性材料がゲルである、請求項５９記載のＬＥＤ電球。
【請求項８１】
前記殻と前記熱伝導性材料が同じ材料である、請求項５９記載のＬＥＤ電球。
【請求項８２】
プラスチックの電球形状殻を生成すること、
前記殻に熱伝導性材料を注入すること、
前記熱伝導性材料内に前記熱伝導性材料の硬化前に少なくとも１つのＬＥＤを設置すること、及び
前記熱伝導性材料を硬化すること
から成る、ＬＥＤ電球の製造方法。
【請求項８３】
更に前記殻に基部を取り付けることから成り、前記基部は標準的な電気ソケットで受容される大きさである、請求項８２記載の方法。
【請求項８４】
前記熱伝導性材料が前記少なくとも１つのＬＥＤを損傷する温度未満の温度で硬化する、請求項８２記載の方法。
【請求項８５】
更に前記電球内に電源を取り付けることから成る、請求項８２記載の方法。
【請求項８６】
前記ＬＥＤ用の前記電源が既存電源に合致し、既存設備に電球を使用できる、請求項８５記載の方法。
【請求項８７】
前記熱伝導性材料が光学的に透明である、請求項８２記載の方法。
【請求項８８】
前記熱伝導性材料が電気的に絶縁性である、請求項８２記載の方法。
【請求項８９】
更に前記熱伝導性材料中の光を分散する手段と色変更する手段の双方又は一方から成る、請求項８２記載の方法。
【請求項９０】
前記殻の材料が光学的に透明である、請求項８２記載の方法。
【請求項９１】
更に前記殻中の光を分散する手段と色変更する手段の双方又は一方から成る、請求項８２記載の方法。
【請求項９２】
前記殻と前記熱伝導性材料が同じ材料である、請求項８２記載の方法。
【請求項９３】
プラスチックの殻を生成すること、
前記プラスチックの殻内に少なくとも１つのＬＥＤを設置すること、
前記殻に熱伝導性材料を注入すること、及び
前記熱伝導性材料を硬化すること
から成る、ＬＥＤ電球の製造方法。
【請求項９４】
更に前記殻に基部を取り付けることから成り、前記基部は標準的な電気ソケットで受容される大きさである、請求項９３記載の方法。
【請求項９５】
前記熱伝導性材料が前記少なくとも１つのＬＥＤを損傷する温度未満の温度で硬化する、請求項９３記載の方法。
【請求項９６】
更に前記電球内に電源を取り付けることから成る、請求項９３記載の方法。
【請求項９７】
前記ＬＥＤ用の前記電源が既存電源に合致し、既存設備に電球を使用できる、請求項９６記載の方法。
【請求項９８】
前記熱伝導性材料が光学的に透明である、請求項９３記載の方法。
【請求項９９】
前記熱伝導性材料が電気的に絶縁性である、請求項９３記載の方法。
【請求項１００】
更に前記熱伝導性材料中の光を分散する手段と色変更する手段の双方又は一方から成る、請求項９３記載の方法。
【請求項１０１】
前記殻の材料が光学的に透明である、請求項９３記載の方法。
【請求項１０２】
更に前記殻中の光を分散する手段と色変更する手段の双方又は一方から成る、請求項９３記載の方法。
【請求項１０３】
前記殻と前記熱伝導性材料が同じ材料である、請求項９３記載の方法。
【請求項１０４】
プラスチックの殻を生成すること、
前記殻に熱伝導性材料を注入することであって、前記熱伝導性材料はＬＥＤを損傷する温度未満の温度で硬化すること、
前記熱伝導性材料内に硬化前に少なくとも１つのＬＥＤを設置すること、及び
注入と設置が完了した後に前記熱伝導性材料を硬化すること
から成る、ＬＥＤ白熱電球交換品の製造方法。
【請求項１０５】
プラスチックの白熱電球形状殻を生成すること、
前記白熱電球形状殻内に少なくとも１つのＬＥＤを設置すること、
前記殻にプラスチック材料を注入することであって、前記プラスチック材料は熱伝導性であり、前記プラスチック材料はＬＥＤを損傷する温度未満の温度で硬化すること、及び
注入と設置が完了した後に前記プラスチック材料を硬化すること
から成る、ＬＥＤ白熱電球交換品の製造方法。
【請求項１０６】
熱伝導性プラスチック電球、
前記熱伝導性プラスチック電球内の少なくとも１つのＬＥＤ、及び
基部であって、標準的電気ソケット内に受容される大きさである、基部
から成る、ＬＥＤ電球。
【請求項１０７】
更に電源から成り、前記少なくとも１つのＬＥＤに対する前記電源が前記電球内にある、請求項１０６記載のＬＥＤ電球。
【請求項１０８】
前記少なくとも１つのＬＥＤ用の前記電源が既存電源に合致し、既存設備に電球を使用できる、請求項１０７記載のＬＥＤ電球。
【請求項１０９】
前記熱伝導性プラスチック電球が光学的に透明である、請求項１０６記載のＬＥＤ電球。
【請求項１１０】
前記熱伝導性プラスチック電球が電気的に絶縁性である、請求項１０６記載のＬＥＤ電球。
【請求項１１１】
更に前記熱伝導性プラスチック電球内の分散材料から成り、前記分散材料が前記少なくとも１つのＬＥＤからの光を分散する、請求項１０６記載のＬＥＤ電球。
【請求項１１２】
更に前記熱伝導性プラスチック電球内の色変更材料から成り、前記色変更材料が前記ＬＥＤからの光を第１の色スペクトルから第２の色スペクトルに変更する、請求項１０６記載のＬＥＤ電球。
【請求項１１３】
前記熱伝導性プラスチック電球が電気的に絶縁性である、請求項１０６記載のＬＥＤ電球。
【請求項１１４】
更に前記熱伝導性プラスチック電球内の複数の泡から成り、前記泡が前記少なくとも１つのＬＥＤからの光を分散する、請求項１０６記載のＬＥＤ電球。
【請求項１１５】
更に前記熱伝導性プラスチック電球に染料を追加することから成り、前記染料が前記少なくとも１つのＬＥＤの光を第１の色スペクトルから第２の色スペクトルに変更する、請求項１０６記載のＬＥＤ電球。
【請求項１１６】
前記熱伝導性プラスチック電球がポリカーボネートである、請求項１０６記載のＬＥＤ電球。
【請求項１１７】
電球形状型内に少なくとも１つのＬＥＤを設置すること、
前記型に熱伝導性材料を注入すること、及び
前記熱伝導性材料を硬化することであって、前記熱伝導性材料が前記少なくとも１つのＬＥＤを損傷する温度未満の温度で硬化すること
から成る、ＬＥＤ白熱電球交換品の製造方法。
【請求項１１８】
更に前記電球に基部を取り付けることから成り、前記基部は標準的な電気ソケットで受容される大きさである、請求項１１７記載の方法。
【請求項１１９】
更に電球外部に殻を生成するような態様で更なる処理を行う段階から成る、請求項１１７記載の方法。
【請求項１２０】
更に電球に殻を付加する段階から成る、請求項１１７記載の方法。
【請求項１２１】
プラスチックの電球形状殻を生成すること、
前記殻に熱伝導性材料を注入すること、
前記熱伝導性材料内に前記熱伝導性材料のゲル化前に少なくとも１つのＬＥＤを設置すること、及び
前記熱伝導性材料をゲル化すること
から成る、ＬＥＤ電球の製造方法。
【請求項１２２】
更に前記殻に基部を取り付けることから成り、前記基部は標準的な電気ソケットで受容される大きさである、請求項１２１記載の方法。
【請求項１２３】
更に前記電球内に電源を取り付けることから成る、請求項１２１記載の方法。
【請求項１２４】
前記ＬＥＤ用の前記電源が既存電源に合致し、既存設備に電球を使用できる、請求項１２３記載の方法。
【請求項１２５】
前記熱伝導性材料が光学的に透明である、請求項１２１記載の方法。
【請求項１２６】
前記熱伝導性材料が電気的に絶縁性である、請求項１２１記載の方法。
【請求項１２７】
更に前記熱伝導性材料中の光を分散する手段と色変更する手段の双方又は一方から成る、請求項１２１記載の方法。
【請求項１２８】
前記熱伝導性材料が光の分散と色変更の双方又は一方の特性を有する、請求項１２１記載の方法。
【請求項１２９】
前記殻の材料が光学的に透明である、請求項１２１記載の方法。
【請求項１３０】
更に前記殻中の光を分散する手段と色変更する手段の双方又は一方から成る、請求項１２１記載の方法。
【発明の詳細な説明】
【技術分野】
【０００１】
関連出願の相互参照
本出願は、２００６年５月２日に出願されたアメリカ合衆国仮特許出願第６０／７９７１４６号の優先権を主張するものであり、これをこの参照によって全体的にここに組み込む。
【０００２】
発明の分野
本発明は、発光ダイオード（ＬＥＤ）電球照明に使用される電球の交換に関し、特に、取り除く電球の光出力に交換用電球が合致できるようにするためにＬＥＤが発生する熱を効率的に除去することに関する。
【０００３】
発明の背景
ＬＥＤは、半導体接合から成り、この接合を流れる電流により発光する。一見すると、ＬＥＤは伝統的なタングステンフィラメント白熱電球を置き換えるのに好適であるように見える。それは同電力では白熱電球よりも遙かに多くの光出力を発生し、同じことであるが、それは同等の光に対して使用電力がかなり少なく、また、その運用年数は桁違いに大きく、すなわち、１０００〜２０００時間に対して１万〜１０万時間である。
【０００４】
しかしながら、ＬＥＤは、今までのところ、白熱電球代替物として広く採用することを妨げる多くの問題を持っている。その主なものは、ＬＥＤは所与の光出力に対して白熱電球より実質的に消費電力が少ないが、照明に適当な光を発生するためには未だ多くのワット数を要することである。白熱電球のタングステンフィラメントは約３０００゜（度）Ｋの温度で動作するが、ＬＥＤは、半導体であり、約１２０゜Ｃより熱くすることができない。このように、ＬＥＤは、実質的に熱の問題を持っており、白熱電球のように真空中で動作する場合、又は空気中の場合でさえ、急速に過熱し、故障する。このため、利用可能なＬＥＤ電球は極めて低い電力（すなわち約３Ｗ未満）に制限され、白熱灯と交換するには不十分な照明となっていた。
【０００５】
この問題の可能な解決策の１つは、大きな金属ヒートシンクを用い、ＬＥＤに取り付けることである。そうすると、このヒートシンクは、電球から外方へ延び、ＬＥＤの熱を除去する。この解決策は、顧客が伝統的形状の白熱電球と大幅に異なる形状の電球を使用しないという共通認識のため、またヒートシンクによって既存設備への電球の装着が不可能となるという考慮から、好ましいものではなく、また実際に試みられなかった。
【発明の開示】
【発明が解決しようとする課題】
【０００６】
本発明は、上記の主要な問題を効果的に解決するような、発光ダイオード（ＬＥＤ）を用いた発光器具を開発することを目的とする。その狙いとするところは、複数ＬＥＤから成り、光出力の強度が白熱電球に等しく、また最大定格温度を超えることがないように消散パワーをＬＥＤから効果的に除去する、白熱灯照明代替用の電球を提供することである。この器具は、電球形状の殻（shell）を含み、好ましくはポリカーボネートのようなプラスチックで形成される。この殻又は電球は、透明であってもよく、光を分散させる材料を内部に分散させて点光源を有しないように見せてもよく、またＬＥＤ光の青みがかった色をより黄色みがかった色に変換する材料を内部に分散させ通常の白熱電球の光により近づけてもよい。
【課題を解決するための手段】
【０００７】
発明の概要
１つの実施形態では、ＬＥＤ電球は、電球形状の殻、前記電球形状の殻内の熱伝導性プラスチック材料、前記電球形状の殻内の少なくとも１つのＬＥＤ、及び基部であって、電気ソケット内に受容される大きさである基部から成る。
【０００８】
他の実施形態では、ＬＥＤ電球の製造方法は、プラスチックの電球形状殻を生成すること、前記殻にプラスチック材料を注入することであって前記プラスチック材料は熱伝導性であること、前記プラスチック材料内に前記プラスチック材料の硬化前に少なくとも１つのＬＥＤを設置すること、及び前記プラスチック材料を硬化することから成る。
【０００９】
ＬＥＤ電球の製造方法は、プラスチックの電球形状殻を生成すること、前記プラスチックの電球形状殻内に少なくとも１つのＬＥＤを設置すること、前記殻にプラスチック材料を注入することであって、前記プラスチック材料は熱伝導性であること、及び前記プラスチック材料を硬化することから成る。
【００１０】
更なる実施形態では、ＬＥＤ白熱電球交換品の製造方法は、プラスチックの白熱電球形状殻を生成すること、前記殻にプラスチック材料を注入することであって、前記プラスチック材料は熱伝導性であり、前記プラスチック材料はＬＥＤを損傷する温度未満の温度で硬化すること、前記プラスチック材料内に硬化前に少なくとも１つのＬＥＤを設置すること、及び注入と設置が完了した後に前記プラスチック材料を硬化することから成る。
【００１１】
更なる実施形態では、ＬＥＤ白熱電球交換品の製造方法は、プラスチックの白熱電球形状殻を生成すること、前記白熱電球形状殻内に少なくとも１つのＬＥＤを設置すること、前記殻にプラスチック材料を注入することであって、前記プラスチック材料は熱伝導性であり、前記プラスチック材料はＬＥＤを損傷する温度未満の温度で硬化すること、及び注入と設置が完了した後に前記プラスチック材料を硬化することから成る。
【００１２】
他の実施形態では、ＬＥＤ電球は、熱伝導性プラスチック電球、前記熱伝導性プラスチック電球内の少なくとも１つのＬＥＤ、及び基部であって電気ソケット内に受容される大きさである基部から成る。
【００１３】
更なる実施形態では、ＬＥＤ白熱電球交換品の製造方法は、電球形状型内に少なくとも１つのＬＥＤを設置すること、前記型に熱伝導性プラスチック材料を注入すること、及び前記プラスチック材料を硬化することであって前記プラスチック材料が前記少なくとも１つのＬＥＤを損傷する温度未満の温度で硬化することから成る。
【００１４】
更なる実施形態では、ＬＥＤ電球の製造方法は、プラスチックの電球形状殻を生成すること、前記殻に熱伝導性材料を注入すること、前記熱伝導性材料内に前記熱伝導性材料のゲル化前に少なくとも１つのＬＥＤを設置すること、及び前記熱伝導性材料をゲル化することから成る。
【００１５】
図面の簡単な記述
添付図面は、本発明を更に理解するためのものであり、本明細書に組み込まれ、その一部を構成する。図面は、本発明の実施形態を例示しており、その説明と共に、本発明の原理を明白にするために役立つ。図面において、
図１は、プラスチック材料中に実装されたＬＥＤ発光部を示すＬＥＤ交換電球の断面図であり、
図２は、プラスチック材料と熱的接触を保ってプラスチック殻に埋め込まれたＬＥＤを示すＬＥＤ交換電球の断面図であり、
図３は、プラスチック材料中に実装された複数のＬＥＤを示すＬＥＤ交換電球の断面図であり、
図４は、熱伝導性プラスチック電球内のＬＥＤを示すＬＥＤ交換電球の断面図である。
【００１６】
詳細な記述
ここで本発明の好適な実施形態について詳細に言及し、その例を添付図面で示す。図面と説明においては、同一又は類似の部分に言及するために可能な限り同一の参照番号を用いる。
【００１７】
図１は、１つの実施形態においてプラスチック材料中に実装されたＬＥＤ発光部を示すＬＥＤ交換電球の断面図である。図１に示すように、ＬＥＤ交換電球は、ねじ込み基部２０、プラスチック殻３０、透明又は半透明の熱伝導性材料で任意の適当なプラスチック材料６０を内蔵する内部４０、及び少なくとも１つのＬＥＤ５０を含む。当然のことながら、殻３０（又は筐体）は、任意の形状、又は電球に使用される他の伝統的な若しくは装飾的な形状の任意のものでよく、球状、筒状、及び「炎」状の形状の殻３０を含むが、これに限定されない。代替的に、殻３０は、蛍光灯又は他の設計で使用される円筒状の要素とすることができる。
【００１８】
ねじ込み基部２０は、一連のねじ山２２と基部ピン２４を含む。ねじ込み基部２０は、標準的な電気ソケット内にはまり、電気的に接触するように構成されている。電気ソケットは、本分野で知られている白熱電球又は他の標準的電球を受容する大きさであることが好ましい。しかし、当然のことながら、ねじ込み基部２０は、差し込み式基部のように、白熱電球を受容するように構成された任意の電気ソケットに適合するように変更することができる。ねじ込み基部２０は、ソケット内でねじ山２２と基部ピン２４を介して交流電源と電気的に接触する。ねじ込み基部２０内には、少なくとも１つのＬＥＤ５０の駆動に適した形態に交流電力を変換する電源（不図示）が存在する。
【００１９】
図１に示すように、殻３０は、ＬＥＤ交換電球１０の内部４０内のプラスチック材料６０を完全に包む。また、殻３０は、接続線５４が電源への密封接続を通って殻３０を通る状態で、少なくとも１つのＬＥＤ５０の少なくとも発光部５２を包む。
【００２０】
電球形状殻３０は、ポリカーボネートのようなプラスチック、液体プラスチック又はプラスチック状の材料から形成されることが好ましい。しかし、当然のことながら、殻３０は、任意の適当なプラスチック材料で構成できる。加えて、殻３０は好ましくは透明であるが、当然のことながら、殻は、分散材料３２を殻３０中に分散させて含むこともできる。分散材料３２は、好ましくはＬＥＤ５０の発光部５２からの光を分散するように構成されている。発光部５２からの光源の分散により、電球１０が１つの点光源又は複数の点光源を有し複数のＬＥＤ５０を有するように見えることを防止する。当然のことながら、殻３０は、典型的なＬＥＤダイの青みがかった色を通常の白熱電球光に一層似たより黄色がかった色に変える手助けとなる分散材料３２を内蔵することもできる。
【００２１】
他の実施形態では、殻３０とプラスチック材料６０の双方又は一方は、複数の泡（不図示）を含むことができ、泡は、少なくとも１つのＬＥＤ５０からの光を分散する。更に他の実施形態では、殻３０に、又は殻３０内のプラスチック材料６０に染料（不図示）を加えることができ、染料は、少なくとも１つのＬＥＤ５０からの光を第１色スペクトルから第２色スペクトルに変更する。
【００２２】
図１に示すように、殻３０は、液体プラスチック又は他の適当な材料のような熱伝導性プラスチック材料６０で充填される。好適な実施形態では、プラスチック材料６０は、ＬＥＤ５０に損傷を起こし得る温度未満の温度で硬化する。プラスチック材料６０は、殻と同じ材料でもよい。プラスチック材料６０は、ゲルでもよい。使用中、プラスチック材料６０は、少なくとも１つのＬＥＤ５０により発生された熱を殻３０へ伝達する手段として作用し、ここで、通常の白熱電球と同様に、熱が放射又は対流により除去される。プラスチック材料６０は、透明とすることができ、ＬＥＤ５０の発光部５２からの光の分散を助ける分散材料６２を内蔵してもよい。分散材料は、電球１０が１つの点光源又は複数の点光源を有し複数のＬＥＤ５０を有するように見えることを防止する。加えて、プラスチック材料６２に分散された分散材料６２は、ＬＥＤ５０の発光部５２の青みがかった色を通常の白熱電球光に一層似たより黄色がかった色に変えるために使用できる。プラスチック材料６０は、また、電気的絶縁性であることが好ましい。
【００２３】
少なくとも１つのＬＥＤ５０は、好ましくは、プラスチック材料の硬化前に、又はプラスチック材料の追加前にプラスチック材料内に設置される。少なくとも１つのＬＥＤ５０がプラスチック材料６０に一旦設置されるが、硬化前にＬＥＤ５０に電力供給するための電気的接点が引き出される。導線は、ＬＥＤ５０の電源に接続され、これは、典型的には、電球１０の残部内に含まれる。電源は、既存の設計に合致するように設計することが好ましく、既存設備の変更無しに電球１０を従来の電球と直接交換できるようにする。電球１０は金属接点が搭載され、これにより少なくとも１つのＬＥＤ５０用の電源に電力を供給する。
【００２４】
図２は、プラスチック材料６０と熱的接触を保ちつつプラスチック殻３０に埋め込まれた少なくとも１つのＬＥＤ５０を示すＬＥＤ交換電球１０の断面図である。ＬＥＤ交換電球１０は、ねじ込み基部２０、殻３０、プラスチック材料６０を内蔵する内部４０、発光部５２と一対の接続線５４を有する少なくとも１つのＬＥＤ５０を含むことができる。ねじ込み基部２０は、ねじ山２２とその基部ピン２４を通じてソケット内の交流電源と電気的に接触する。ねじ込み基部２０内には、少なくとも１つのＬＥＤ５０の駆動に適した形態に交流電源を変換する電源（不図示）がある。単一のＬＥＤ又は複数のＬＥＤ５０は、電源に接続する接続線５４と発光部５２との２つの部分から成る。殻３０は、完全にプラスチック材料４０を包囲する。また、殻３０は、接続線５４が電源に接続している状態で、少なくとも１つのＬＥＤ５０を包囲する。この実施形態では、少なくとも１つのＬＥＤ５０は、薄い殻壁７０を介してプラスチック材料４０に熱的に結合している。殻壁７０は、少なくとも１つのＬＥＤ５０が消散する熱に対してプラスチック材料６０への低熱抵抗路を提供する。
【００２５】
図３は、更なる実施形態においてプラスチック材料６０中に実装された複数のＬＥＤ５０を示すＬＥＤ交換電球１０の断面図である。ＬＥＤ交換電球１０は、ねじ込み基部２０、殻３０、プラスチック材料６０を内蔵する内部４０、ＬＥＤ支持体５６を有する複数のＬＥＤ５０を含む。ねじ込み基部２０は、ねじ山２２とその基部ピン２４を通じてソケット内の交流電源と電気的に接触する。ねじ込み基部２０内には、少なくとも１つのＬＥＤ５０の駆動に適した形態に交流電源を変換する電源（不図示）がある。
【００２６】
この実施形態における複数のＬＥＤ５０は、好ましくは、適当な配置に光源を分配するように配置された、少なくとも３個又は４個のＬＥＤダイである。１つの実施形態では、複数のＬＥＤ５０は、４面体形状に配置することができる。少なくとも１つのＬＥＤ又は複数のＬＥＤ５０は、電源に接続する接続線５４と単一のＬＥＤ又は複数のＬＥＤ自体との２つの部分から成る。接続線５６は、単一のＬＥＤ又は複数のＬＥＤ５０の支持体として機能するように、また複数の素子が存在する場合にＬＥＤ間の相互接続を形成するように、十分堅い。殻３０は、プラスチック材料６０を完全に包囲する。また殻３０は、接続線５６が殻３０を通して電源への密封接続を通して出た状態で、単一のＬＥＤ又は複数のＬＥＤ５０を包囲する。当然のことながら、他の実施形態では、支持体は、相互接続や接続と異なる材料でもよい。
【００２７】
図４は、熱伝導性プラスチック電球１２内のＬＥＤ５０を示すＬＥＤ交換電球１０の断面図である。図４に示すように、ＬＥＤ電球１０は、熱伝導性プラスチック電球１２、電球１２内の少なくとも１つのＬＥＤ５０、及びねじ込み基部２０を含むことができる。基部２０は、一連のねじ山２２と基部ピン２４を含み、ねじ山２２と基部ピン２４は、標準的電気ソケット内に受容される大きさである。典型的には、殻３０と熱伝導性プラスチック材料６０の間を明確に分離する代わりに、図１に示す電球１０のプラスチック材料と殻３０が同じ材料から成っている場合、殻３０と熱伝導性プラスチック材料６０は、１つの熱伝導性電球１２を形成することができる。加えて、同じ材料が殻３０とプラスチック材料６０に用いられる場合、ＬＥＤ電球１０は、一連のねじ山２２と基部ピン２４を含むねじ込み基部２０及び少なくとも１つのＬＥＤ５０を型に配置し、これにプラスチック材料を加えることにより形成することができる。そして、プラスチック材料６０は、少なくとも１つのＬＥＤ５０を損傷する温度未満の温度で硬化される。プラスチック材料６０への後続処理は、硬化段階に続く殻形成となる。代替的に、プラスチック材料６０への後続処理は、硬化段階に続いて殻を加えることでもよい。
【００２８】
当然のことながら、図１〜４に示されたＬＥＤ交換電球は標準的白熱電球に対する交換電球として示されているが、電球１０とここで説明した方法は、懐中電灯、自動車と単車の双方若しくは一方の前照灯、手提げ灯の全て又はいずれかを含む任意の照明システムに用いることができる。
【００２９】
当業者にとって明らかなことであるが、本発明の範囲又は精神を逸脱することなく本発明の構成に種々の修正や変更を加えることが可能である。上記記載に照らし、意図されていることは、本発明が、添付の特許請求の範囲及びその均等物の範囲に入るものであれば本発明の修正や変更を含むことである。
【図面の簡単な説明】
【００３０】
【図１】プラスチック材料中に実装されたＬＥＤ発光部を示すＬＥＤ交換電球の断面図である。
【図２】プラスチック材料と熱的接触を保ってプラスチック殻に埋め込まれたＬＥＤを示すＬＥＤ交換電球の断面図である。
【図３】プラスチック材料中に実装された複数のＬＥＤを示すＬＥＤ交換電球の断面図である。
【図４】熱伝導性プラスチック電球内のＬＥＤを示すＬＥＤ交換電球の断面図である。
【図１】
2009535783.tif 000003
【図２】
2009535783.tif 000004
【図３】
2009535783.tif 000005
【図４】
2009535783.tif 000006
【手続補正書】
【提出日】平成20年11月6日(2008.11.6)
【手続補正１】
【補正対象書類名】特許請求の範囲
【補正対象項目名】全文
【補正方法】変更
【補正の内容】
【特許請求の範囲】
【請求項１】
殻、
前記殻内の熱伝導性プラスチック材料、
前記殻内の少なくとも１つのＬＥＤ、及び
ソケット内に適合するよう構成された基部
から成る、ＬＥＤ電球。
【請求項２】
前記基部が一連のねじ山と基部ピンとから成り、前記ねじ山と基部ピンが標準的電気ソケット内に受容される大きさである、請求項１記載のＬＥＤ電球。
【請求項３】
前記殻がプラスチックである、請求項１記載のＬＥＤ電球。
【請求項４】
前記少なくとも１つのＬＥＤの少なくとも一部が前記熱伝導性材料内に搭載されている、請求項１記載のＬＥＤ電球。
【請求項５】
前記少なくとも１つのＬＥＤが薄い殻壁を通して前記熱伝導性材料に熱的に結合している、請求項１記載のＬＥＤ電球。
【請求項６】
更に電源から成り、前記少なくとも１つのＬＥＤに対する前記電源が前記電球内にあり、前記少なくとも１つのＬＥＤ用の前記電源が既存電源に合致し、既存設備に電球を使用できる、請求項１記載のＬＥＤ電球。
【請求項７】
更に前記殻内の分散材料から成り、前記分散材料が前記少なくとも１つのＬＥＤからの光を分散する、請求項１記載のＬＥＤ電球。
【請求項８】
前記殻が前記少なくとも１つのＬＥＤからの光を分散する、請求項１記載のＬＥＤ電球。
【請求項９】
更に前記熱伝導性材料内の分散材料から成り、前記分散材料が前記少なくとも１つのＬＥＤからの光を分散する、請求項１記載のＬＥＤ電球。
【請求項１０】
前記熱伝導性材料が光の分散と色変更の双方又は一方の特性を有する、請求項１記載のＬＥＤ電球。
【請求項１１】
更に前記熱伝導性材料内の複数の泡から成り、前記泡が前記少なくとも１つのＬＥＤからの光を分散する、請求項１記載のＬＥＤ電球。
【請求項１２】
更に前記殻内の色変更材料から成り、前記色変更材料が前記ＬＥＤからの光を第１の色スペクトルから第２の色スペクトルに変更する、請求項１記載のＬＥＤ電球。
【請求項１３】
更に前記殻に追加された染料から成り、前記染料が前記少なくとも１つのＬＥＤの光を第１の色スペクトルから第２の色スペクトルに変更する、請求項１記載のＬＥＤ電球。
【請求項１４】
更に前記熱伝導性材料内の色変更材料から成り、前記色変更材料が前記ＬＥＤからの光を第１の色スペクトルから第２の色スペクトルに変更する、請求項１記載のＬＥＤ電球。
【請求項１５】
更に前記熱伝導性材料に追加された染料から成り、前記染料が前記少なくとも１つのＬＥＤの光を第１の色スペクトルから第２の色スペクトルに変更する、請求項１記載のＬＥＤ電球。
【請求項１６】
前記熱伝導性材料がゲルである、請求項１記載のＬＥＤ電球。
【請求項１７】
前記熱伝導性材料が液体プラスチックである、請求項１記載のＬＥＤ電球。
【請求項１８】
前記殻と前記熱伝導性材料が同じ材料である、請求項１記載のＬＥＤ電球。
【請求項１９】
殻を生成すること、
前記殻内に少なくとも１つのＬＥＤを設置すること、
前記殻に熱伝導性材料を注入すること、及び
前記熱伝導性材料を硬化すること
から成る、ＬＥＤ電球の製造方法。
【請求項２０】
更に前記殻に基部を取り付けることから成り、前記基部は標準的な電気ソケットで受容される大きさである、請求項１９記載の方法。
【請求項２１】
更に前記電球内に電源を取り付けることから成り、前記少なくとも１つのＬＥＤ用の前記電源が既存電源に合致し、既存設備に電球を使用できる、請求項１９記載の方法。
【請求項２２】
更に前記熱伝導性材料中の光を分散する手段と色変更する手段の双方又は一方から成る、請求項１９記載の方法。
【請求項２３】
更に前記殻中の光を分散する手段と色変更する手段の双方又は一方から成る、請求項１９記載の方法。
【請求項２４】
前記殻と前記熱伝導性材料が同じ材料である、請求項１９記載の方法。
【請求項２５】
殻を生成すること、
前記殻に熱伝導性材料を注入すること、
前記熱伝導性材料内に少なくとも１つのＬＥＤを設置すること、及び
前記殻の注入と前記少なくとも１つのＬＥＤの設置が完了した後に前記熱伝導性材料を硬化すること
から成る、ＬＥＤ電球の製造方法。
【請求項２６】
更に前記殻に基部を取り付けることであって、前記基部は標準的な電気ソケットで受容される大きさであること、及び
前記電球内に電源を取り付けることであって、前記少なくとも１つのＬＥＤ用の前記電源が既存電源に合致し、既存設備に電球を使用できること
から成る、請求項２５記載の方法。
【請求項２７】
殻を生成すること、
前記殻に熱伝導性材料を注入すること、
前記熱伝導性材料内に少なくとも１つのＬＥＤを設置すること、及び
前記熱伝導性材料をゲル化すること
から成る、ＬＥＤ電球の製造方法。
【請求項２８】
更に前記殻に基部を取り付けることであって、前記基部は標準的な電気ソケットで受容される大きさであること、及び
前記電球内に電源を取り付けることであって、前記少なくとも１つのＬＥＤ用の前記電源が既存電源に合致し、既存設備に電球を使用できること
から成る、請求項２７記載の方法。
【請求項２９】
前記熱伝導性材料が光の分散と色変更の双方又は一方の特性を有する、請求項２７記載の方法。
【請求項３０】
殻を生成すること、
前記殻内に少なくとも１つのＬＥＤを設置すること、
前記殻に熱伝導性材料を注入すること、及び
前記熱伝導性材料をゲル化すること
から成る、ＬＥＤ電球の製造方法。
【請求項３１】
更に前記殻に基部を取り付けることであって、前記基部は標準的な電気ソケットで受容される大きさであること、及び
前記電球内に電源を取り付けることであって、前記少なくとも１つのＬＥＤ用の前記電源が既存電源に合致し、既存設備に電球を使用できること
から成る、請求項３０記載の方法。
【請求項３２】
前記熱伝導性材料が光の分散と色変更の双方又は一方の特性を有する、請求項３０記載の方法。
【請求項３３】
型内に少なくとも１つのＬＥＤを設置すること、
前記型に熱伝導性材料を注入すること、及び
前記熱伝導性材料を硬化すること
から成る、ＬＥＤ電球の製造方法。
【請求項３４】
更に電球外部に殻を生成するように処理することから成る、請求項３３記載の方法。
【請求項３５】
更に電球に殻を付加することから成る、請求項３３記載の方法。
【請求項３６】
型内に少なくとも１つのＬＥＤを設置すること、
前記型に熱伝導性材料を注入すること、及び
前記熱伝導性材料をゲル化すること
から成る、ＬＥＤ電球の製造方法。
【請求項３７】
更に前記電球外部に殻を生成するように処理することから成る、請求項３６記載の方法。
【請求項３８】
更に前記電球に殻を付加することから成る、請求項３６記載の方法。
【請求項３９】
殻を生成すること、
前記殻内に少なくとも１つのＬＥＤを設置すること、及び
前記殻にゲルを注入すること
から成る、ＬＥＤ電球の製造方法。
【請求項４０】
更に前記ゲル内の分散材料から成り、前記分散材料が前記少なくとも１つのＬＥＤからの光を分散する、請求項３９記載の方法。
【請求項４１】
前記ゲルが光の分散と色変更の双方又は一方の特性を有する、請求項３９記載の方法。
【請求項４２】
更に前記ゲル内の複数の泡から成り、前記泡が前記少なくとも１つのＬＥＤからの光を分散する、請求項３９記載の方法。
【請求項４３】
更に前記殻内の色変更材料から成り、前記色変更材料が前記ＬＥＤからの光を第１の色スペクトルから第２の色スペクトルに変更する、請求項３９記載の方法。
【請求項４４】
更に前記殻に染料を追加することから成り、前記染料が前記少なくとも１つのＬＥＤの光を第１の色スペクトルから第２の色スペクトルに変更する、請求項３９記載の方法。
【請求項４５】
更に前記ゲル内の色変更材料から成り、前記色変更材料が前記ＬＥＤからの光を第１の色スペクトルから第２の色スペクトルに変更する、請求項３９記載の方法。
【請求項４６】
更に前記ゲルに染料を追加することから成り、前記染料が前記少なくとも１つのＬＥＤの光を第１の色スペクトルから第２の色スペクトルに変更する、請求項３９記載の方法。
【請求項４７】
殻を生成すること、
前記殻にゲルを注入すること、及び
ゲルが注入された前記殻内に少なくとも１つのＬＥＤを設置すること
から成る、ＬＥＤ電球の製造方法。
【請求項４８】
更に前記ゲル内の分散材料から成り、前記分散材料が前記少なくとも１つのＬＥＤからの光を分散する、請求項４７記載の方法。
【請求項４９】
前記ゲルが光の分散と色変更の双方又は一方の特性を有する、請求項４７記載の方法。
【請求項５０】
更に前記ゲル内の複数の泡から成り、前記泡が前記少なくとも１つのＬＥＤからの光を分散する、請求項４７記載の方法。
【請求項５１】
更に前記殻内の色変更材料から成り、前記色変更材料が前記ＬＥＤからの光を第１の色スペクトルから第２の色スペクトルに変更する、請求項４７記載の方法。
【請求項５２】
更に前記殻に染料を追加することから成り、前記染料が前記少なくとも１つのＬＥＤの光を第１の色スペクトルから第２の色スペクトルに変更する、請求項４７記載の方法。
【請求項５３】
更に前記ゲル内の色変更材料から成り、前記色変更材料が前記ＬＥＤからの光を第１の色スペクトルから第２の色スペクトルに変更する、請求項４７記載の方法。
【請求項５４】
更に前記ゲルに染料を追加することから成り、前記染料が前記少なくとも１つのＬＥＤの光を第１の色スペクトルから第２の色スペクトルに変更する、請求項４７記載の方法。
【国際調査報告】
2009535783.tif 000007
2009535783.tif 000008